(57)【要約】【課題】放電領域と蛍光体表面との位置関係により、従来の放電セルの構造では、紫外線の利用効率がまだ低い。【解決手段】本発明によるＰＤＰの背面パネルは、ガラス基板上に形成されたデータ電極に平行なストライプ状の第１の隔壁と、一対の表示電極に平行で表示電極空間の中間下に設けられた第２の隔壁とを有し、第２の隔壁は第１の隔壁よりも低く形成され、その上面および側面にも蛍光体が塗布されている。本発明の第２の隔壁は表示電極対に平行で、表示電極空間の中間下に存在することで、第２の隔壁の上面に塗布された蛍光体は、維持放電により表示電極対を軸として円弧状に発生する放電空間に近接するために発光効率が大きくなる。【選択図】図１
2007012494.tif 000002
【特許請求の範囲】
【請求項１】
電極対を構成する表示電極群及び誘電体ガラス層が配設された前面パネルと、データ電極群、蛍光体層及び隔壁群が配設された背面パネルとが、間隔を置いて対向された２枚のパネル間に放電ガスが充填されてなる放電空間を有するプラズマディスプレイパネルであって、前記背面パネル上に設けられたデータ電極に平行なストライプ状の複数の第１の隔壁と、前記前面パネル上に設けられた一対の表示電極と平行な背面パネル上に設けられた第２の隔壁とを有し、前記第２の隔壁が前記一対の表示電極空間の中間下に配置され、且つ側面と上面に蛍光体が塗布されていることを特徴とするプラズマディスプレイパネル。
【請求項２】
第２の隔壁の高さが第１の隔壁の高さの２７％〜６４％であることを特徴とする請求項１に記載のプラズマディスプレイパネル。
【請求項３】
放電ガス中のＸｅ濃度が５％以上であることを特徴とする請求項１に記載のプラズマディスプレイパネル。
【発明の詳細な説明】
【技術分野】
【０００１】
本発明はプラズマディスプレイパネルにおいて、隔壁構造の改善により発光効率の改善を可能にする技術に関する。
【背景技術】
【０００２】
図４は現在、実用化されているＡＣ面放電型ＰＤＰ表示装置の斜視図であって、ガラス基板１１の片面にストライプ状に形成された走査電極と維持電極からなる表示電極対１２、これらの表示電極対１２を覆う低融点ガラスから成る誘電体層１５およびＭｇＯから成る保護膜１６を備えた前面パネル１０と、もう一方のガラス基板２１の片面にストライプ状に形成されたデータ電極２２、これらのデータ電極２２を覆う誘電体層１５、放電空間を区画するストライプ状の高さ１００μｍ程度の隔壁２３、隔壁２３間の溝に塗布された蛍光体層２４を備えた背面パネル２０とが電極面を対向させて積層し、隔壁２３で決まる空隙に、放電電圧があまり上昇せず駆動時に放電ミスが起こりにくくするため、Ｘｅの量が５％前後のＮｅ−Ｘｅ系やＨｅ−Ｘｅ系の放電ガスが充填された構造である。表示電極対１２とデータ電極２２は直交していて、その交差部が放電セル１７になる。つまり、放電セル１７はマトリクス状に配列され、表示電極対１２の方向に並ぶ赤色、緑色、青色の蛍光体層を有する放電セルがカラー表示のための画素になる。
【０００３】
この構造のＰＤＰ表示装置は、維持放電期間において面放電を構成する表示電極対１２間に印加されるパルス電圧によって、書き込み期間に選択された放電セル１７の表示電極１２間で放電が起こり、この放電によって発生した紫外線が蛍光体を励起して可視光が発射され、この可視光が保護膜１６、誘電体層１５等を透過することにより画像または映像を表示することができる。
【０００４】
一般に、ＡＣ面放電型のプラズマディスプレイパネル（以下、ＰＤＰと記す）は以上のような構造を有するが、塗布されている蛍光体を発光させた場合の輝度を高めることが重要な課題の一つとされ、種々のアプローチで開発が進められている。図５は特許文献１および２に記載されているＰＤＰの隔壁形状を示す斜視図である。アドレス電極と並行方向に背面板に形成される隔壁１と、前面板に設けられたバス電極と並行方向に背面板に形成される補助隔壁２とを有し、隔壁１および補助隔壁２の壁面とセル底面を覆って蛍光面が形成されている。この構造では、補助隔壁２を持たないセル構造と比べ、蛍光面の発光面積を広げることが可能であり、蛍光面に紫外線を効率よく作用させることができ、発光効率を改善、輝度を高められる。また、補助隔壁２によってアドレス電極とバス電極によって特定される放電空間を他の放電空間から分離でき、隣接する表示セル部に対する放電や紫外線の漏洩を防止できる。
【０００５】
また、特許文献３には、放電空間を区画するストライプ状の隔壁間に高さのより低い突起を設け、前記突起部の表面を含めて、基板側の単位発光領域内の壁面に、蛍光体を形成することにより、放電セル内の蛍光体の有効面積を大きくすることができ、高輝度、高発光効率化が可能となるＰＤＰの構造が記載されている。この構造では、突起頂部にデータ電極を設けることにより放電セルへの書き込み動作を確実にできる。
【特許文献１】特許第３４４０３５２号公報
【特許文献２】特許第３４７５３３３号公報
【特許文献３】特許第３４４０８３３号公報
【発明の開示】
【発明が解決しようとする課題】
【０００６】
しかしながら、ＡＣ面放電型のＰＤＰ表示装置はＣＲＴ表示装置に比べ依然として発光効率が低いと言う課題がある。特に、近年期待されている高精細のフルスペックのハイビジョテレビを作成しようとすると、フルスペックのハイビジョンの画素は１９２０(水平)×１０８０(垂直)であり、従来のＮＴＳＣの画素数である８５２(水平)×４８０(垂直)と比較して、約５〜６倍に増加する。従って、同じ４２インチのパネルで比較すると、１セルピッチ(１隔壁ピッチ)がＮＴＳＣの０．３６ｍｍ(水平)から０．１６ｍｍ(水平)と小さくなってしまい、その結果放電空間が減少して、輝度効率の低下が顕在化すると言う課題がある。また、一般には、１セルのピッチが０．２ｍｍより小さくなると、輝度効率が急に低下すると言われている。
【０００７】
この課題を改善するために放電セルの構造や駆動方法等の面から種々の工夫がなされている。
【０００８】
隔壁構造の面からは、特許文献１および２、特許文献３に記載されているように、補助隔壁や放電セル中に突起を設けることにより、補助隔壁の壁面や突起部上に蛍光体を塗布、放電セルへの蛍光体の付着量、蛍光体の表面積を増やして発光輝度を高める方法が開発されている。しかしながら、ＡＣ面放電型のＰＤＰでは、維持電極に電圧が印加されて発生する紫外線の強度は、電界強度の強い保護層（ＭｇＯ層）の近傍で強いため、従来の放電セルの構造では、紫外線の強度の強い放電領域と、蛍光体表面との距離が離れており、紫外線が蛍光体層に届くまでに減衰し、結果として、その利用効率が低くなると考えられる。特に従来のＸｅの含有量が５％程度の放電カ゛スでは、放電領域で生ずる紫外線がＸｅの共鳴線であるため、自己吸収を起こし、蛍光体層と放電領域の距離が離れると紫外線の減衰率が大きくなっていた。
【０００９】
従って紫外線をより強く受けて効率よく発光するためには、放電領域と蛍光体膜を近づける必要があった。しかし、従来例の放電セルでは、放電領域と側壁上部に塗布された蛍光体層との距離は、比較的短いが、放電領域と隔壁底部に塗布された蛍光体膜との距離は大きくなる。従って、側壁上部に塗布された蛍光体からの発光は強いが、隔壁底部に塗布された蛍光体からの発光は弱くなる。
【００１０】
一方、特許文献３に記載されている放電セル内の突起は表示電極に直交する方向に設けられており、突起部は放電領域に近づくが、放電領域に近接している突起部はごく一部であり、放電により発生する紫外線の利用効率はまだ高くはないと考えられる。
【００１１】
又一方、放電領域と蛍光体層を近づけるために、隔壁の高さを全体に低くすれば良いが、隔壁の高さを全体的に低くすると、放電空間が少なくなり、放電のエネルギーが壁面に吸収され、返って輝度効率が低下するので好ましくない。従って、従来のＰＤＰの放電空間としては少なくとも５０μｍ〜１２０μｍ必要とされてきた。
【００１２】
本発明は隔壁構造の改善および放電セルの構造の改善によって、発光効率の高い隔壁構造を有するＰＤＰを提供する。
【課題を解決するための手段】
【００１３】
本発明によるＰＤＰの背面パネルは、ガラス基板上に形成されたデータ電極に平行なストライプ状の第１の隔壁と、維持電極と走査電極からなる表示電極に平行で、表示電極の下面に設けられた第２の隔壁とを有し、第２の隔壁は第１の隔壁よりも低く形成され、その上面および側面にも蛍光体が塗布されている構成である。
【００１４】
この構成により、第２の隔壁上面に塗布された蛍光体は放電領域に近接するので、紫外線の利用効率が大で、発光輝度が大きくなる。つまり、本発明の第２の隔壁が表示電極対に平行で、表示電極の下方に存在していることで、第２の隔壁の上面に塗布された蛍光体は、維持放電により表示電極対を軸として円弧状に発生する放電空間に近接するため、発光効率が大きくなる。更に好ましくは、前記第２の隔壁が対をなす表示電極の中間線の直下に配設されている構造である。これにより、前記第２の隔壁上面に設けられた蛍光体膜を放電領域に更に接近させ、効率良く励起発光させることができる。
【００１５】
さらに、放電ガス中のＸｅ量を従来の５％より増加させ、自己吸収のあるＸｅの共鳴線による紫外線でなく、自己吸収が少なく放電領域が減縮され易いＸｅの分子線による紫外線を主に用いることで、１セルピッチが０．２ｍｍ以下になっても、輝度効率を向上させることができる。
【発明の効果】
【００１６】
本発明により、放電によって発生する紫外線を効率よく蛍光体に照射することができ、高輝度、高発光効率化が可能である。
【発明を実施するための最良の形態】
【００１７】
（第１の実施の形態）
以下、本発明の実施の形態を添付の図面を参照しながら説明する。
【００１８】
図１は本第１実施の形態におけるＰＤＰの背面パネルの要部構造を示す斜視図である。背面パネルに対する前面パネルの位置関係を分かりやすくするために、同図では前面パネル面の表示電極１２のみを重ねて描いている。背景技術の項で説明した図４における構成部材と同一の構成部材には同一の符号を付け、その説明を省略する。
【００１９】
隔壁１はデータ電極を設けたガラス基板上に低融点ガラスと感光性有機物の混合物からなる感光性ペーストを塗布し、データ電極方向にストライプ状の露光パターンを有するフォトマスクを用いて露光工程、現像工程を経て作製される。その結果、隔壁１は誘電体層１５の表面のデータ電極２２間に、データ電極２２と平行に直線状に作製される。放電セルは前面パネルに設けられた表示電極１２と前記データ電極２２との交差部において、左右の第１の隔壁１にかこまれた領域に形成される。同図の場合、データ電極２２方向の第１の隔壁１は高さが約１１０μｍであって、幅が底面で約８０μｍ、頂部で約４０μｍである。また、蛍光体一色のセル幅は、４２インチのフルスペックのハイビジョンテレビを想定し、０．１６ｍｍとした。更に、各放電セル内で表示電極１２に平行で、対をなす表示電極１２の中間線の直下に第１の隔壁１より低い第２の隔壁２が設けられており、第２の隔壁が左右の第１の隔壁１を表示電極１２のピッチで横串をさすように接続している。本実施の形態では、第２の隔壁の高さを５０μｍに設定した。なお、第２の隔壁の高さを第１の隔壁の高さよりも低くしたのは、放電が隔壁によって妨げられないようにするため、および排気工程、放電ガス導入工程において、流体抵抗を低くするためである。
【００２０】
隣接する一連の放電セルを構成する第１の隔壁１の側面および底面にはデータ電極２２毎に赤色、緑色、青色の蛍光体が順次、塗布されている。第２の隔壁の側面および上面にも同様に蛍光体が塗布されている。Ｒは（Ｙ，Ｇｄ）ＢＯ3：Ｅｕを用いた赤色蛍光体、Ｇは（Ｙ，Ｇｄ）ＢＯ3：ＴｂとＺｎ2ＳｉＯ4：Ｍｎの混合したものを用いた緑色蛍光体、ＢはＢａＭｇＡｌ10Ｏ17：Ｅｕを用いた青色蛍光体を示す。ＰＤＰにおいては、前面パネルの表面に形成された表示電極１２が前記データ電極２２に垂直になるように前面パネル１０と背面パネル２０とが重ねられ、少なくともＸｅの量が５％以上の放電ガス（残部をＮｅを主体とし、Ａｒ，Ｈｅ，Ｈ2を少量添加）を全圧力が２．５×１０4Ｐａ〜８×１０4Ｐａとなるように導入した後、封止用ガラスにより封止され、ガラス基板間の空隙に放電ガスが充填される。同一の走査電極１２に属し、隣接する３色の蛍光体Ｒ，Ｇ，Ｂを有する放電セルが１画素を構成する。
【００２１】
以上のような隔壁１、２は次のような工程によって作製される。まず、データ電極２２のパターンを備えたガラス基板２１上に感光性ペーストを、例えばダイコータ法により６０μｍの厚さに塗布し、下層の塗布膜を形成する。感光性ペーストは、ほぼ同量の酸化ケイ素と酸化ホウ素を主成分とするガラス粉末と、γ−ブチロラクトンを溶剤とする感光性ポリマーからなる。塗布した下層の塗布膜を必要に応じて乾燥などを行った後、表示電極１２方向に平行なストライプ状の露光パターンを有するフォトマスクを用いて露光する。この結果、下層の感光性ペーストからなる塗布膜は、露光された第２の隔壁用の露光部と未露光部に区分される。
【００２２】
次に、同様の感光性ペーストを用いて、下層の塗布膜上に上層の塗布膜を、同様の塗布方法により約５０μｍの厚さに形成する。必要に応じて乾燥などを行った後、データ電極２２方向にストライプ状の第１の隔壁用の露光パターンを有するフォトマスクを用いて露光する。データ電極２２に平行な第１の隔壁部は第１塗布膜、第２塗布膜の両方が露光された状態であり、表示電極１２に平行な第２の隔壁部は第１塗布膜のみが露光された状態である。下層、上層の塗布膜において、その他の領域は両方の露光工程において未露光領域となり、露光されていない。
【００２３】
その後、下層の塗布膜および上層の塗布膜を有機アルカリ水溶液で現像すると、未露光の感光性ペーストが除去される。図１に示すような、隔壁の高さがより高い第１の隔壁１と、隔壁の高さが低い第２の隔壁２が形成される。パターン形成された低融点ガラス粉末を含む隔壁１、２をガラス基板２１と共に、焼成などの加熱手段により固化する。得られた第１の隔壁１および第２の隔壁２の高さは、それぞれ１１０μｍ、５０μｍであった。
【００２４】
データ電極２２に平行な第１の隔壁１間の溝に、複数本の吐き出し口を有するノズルから蛍光体用塗料を流し込むことによって、第１の隔壁１間に厚さ約１５μｍの蛍光体層が形成される。
【００２５】
図２は、放電セルにおいて、維持放電時の放電領域と蛍光体層との位置関係を示す断面図である。同図（Ａ）は対をなす表示電極１２の中間線に沿って切断した場合の断面図であり、同図（Ｂ）は表示電極１２に垂直方向に切断した場合の断面図である。維持放電時、対をなす表示電極１２を軸とする円弧状に沿面放電が発生する。またこの時、表示電極対間に印加された電界は、保護層１６の表面近傍が放電空間中では最も高くなっており、従って発生する紫外線の強度もこの近傍が高い。図２（Ｂ）より、表示電極１２の中間線の直下に設けられている第２の隔壁２上面に塗布された蛍光体層は、背面板の底部から凸状になっており、この放電領域に最も近接しているため、放電によって発生した紫外線を効率よく受け、より強い可視光を発光させることができる。
【００２６】
また、ハイビジョンテレビのような高精細のパネルにおいて、輝度を向上させためには、第一隔壁の隔壁幅を細くして開口率を向上させなければならない。しかし、第一隔壁の幅を細くすると、第一隔壁形成時に隔壁が、変形したり、倒壊したりしやすくなる。
【００２７】
ところが、本願の第２の隔壁は、第一隔壁に垂直な構成となっているために、構造上隔壁の倒壊や、変形を防止できる効果がある。
【００２８】
図３は比較のために、従来の放電セルにおいて、維持放電時の放電領域と蛍光体層との位置関係を示す断面図である。同図（Ａ）は対をなす表示電極１２の中間線に沿って切断した場合の断面図であり、同図（Ｂ）は表示電極１２に垂直方向に切断した場合の断面図である。第２の隔壁がないために、対をなす表示電極を軸とする円弧状の放電領域から蛍光体表面までの間隔の平均値は図２の場合より大きい。この構造の場合、放電セルから発射される可視光の分布を顕微鏡で観察すると、隔壁１の側面に塗布した楕円で囲んだ部分の蛍光体膜の発光輝度が最も大きく、底面に塗布した蛍光体層からの発光輝度は小さい。なお、特許文献１および２に記載されている従来の井桁構造では、表示電極１２方向の第２の隔壁を備えているが、その位置は表示電極の下部ではなく、ブラックストライプの下部の非表示領域であり、放電領域からの距離は大きい。よって、発光輝度は増大しない。
【００２９】
上記、第１実施の形態で作成したパネルに於いて、Ｘｅガス濃度を変え、維持周波数２００ＫＨｚでパネルを駆動させて全面白色画像を表示し、その時の輝度を測定した。その結果を表１〜表６に示す。
【００３０】
【表１】
2007012494.tif 000003
【００３１】
【表２】
2007012494.tif 000004
【００３２】
【表３】
2007012494.tif 000005
【００３３】
【表４】
2007012494.tif 000006
【００３４】
【表５】
2007012494.tif 000007
【００３５】
【表６】
2007012494.tif 000008
【００３６】
表1〜表６は、第１の隔壁の高さを一定値１１０μｍにして、第２の隔壁の高さを０μｍ〜９０μｍの間で変化させ、又放電ガス中のＸｅの量を５％、１０％、１５％、２５％、５０％、９９％まで変化させたサンプルを作製し、これらのパネル輝度比と第２の隔壁の高さの関係を測定し、そのデータをまとめたものである。
【００３７】
すなわち表１がＸｅ濃度５％の場合、表２がＸｅ濃度１０％の場合、表３がＸｅ濃度１５％の場合、表４がＸｅ濃度２５％の場合、表５がＸｅ濃度５０％の場合、表６がＸｅ濃度９９％の場合の輝度、第二隔壁の高さ、第一隔壁に対する高さ比、第二隔壁の高さが０μｍの時の輝度を１として、第二隔壁の高さを増やした時の各パネルの輝度比の結果である。
【００３８】
１）Ｘｅの量が５％の場合（表１）の結果
従来例におけるＰＤＰの場合、つまりＸｅの量が５％で、第１の隔壁の高さが１１０μｍで、第２の隔壁が無い場合、パネルの発光輝度は約３５０ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．５１倍になっている。また更に第２の隔壁を高くすると徐々にパネル輝度比は低下し、９０μｍでは、０．９８となり、第二隔壁の高さが９０μｍを越えると、第二隔壁の効果はなくなることが判る。従って、第二隔壁の有効な高さは３０μｍ〜７０μｍである。
【００３９】
２）Ｘｅの量が１０％の場合（表２）の結果
Ｘｅの量が１０％で、第１の隔壁の高さが１１０μｍで、第２の隔壁が無い場合、発光輝度は約３９５ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．６倍になっており、輝度が最大となる第２の隔壁の高さは、Ｘｅ５％の時と変わらないが、輝度の上昇率は大きくなっている。また更に第２の隔壁を高くすると徐々にパネル輝度比は低下し、９０μｍでは、０．９７となり、第二隔壁の効果はなくなることが分かる。しかし、Ｘｅ５％の時と比べて第２の隔壁の高さが６０μｍ、と７０μｍの時のパネルの輝度比の低下は、少なくなっていることが判る。
【００４０】
３）Ｘｅの量が１５％の場合（表３）の結果
Ｘｅの量が１５％で、第１の隔壁の高さが１１０μｍで、第２の隔壁が無い場合、発光輝度は約４１７ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．５９倍になっており、輝度が最大となる第２の隔壁の高さは、Ｘｅ５％の時と変わらないが、輝度の上昇率は大きくなっている。
【００４１】
また更に第２の隔壁を高くすると徐々にパネル輝度比は低下し、９０μｍでは、０．９９となり、第２の隔壁の効果はなくなることが分かる。しかし、Ｘｅ５％の時と比べて第２の隔壁の高さが６０μｍ、と７０μｍの時のパネルの輝度比はそれぞれ１．５２倍、１．３２倍であり、Ｘｅ５％の同じ隔壁高さの時の１．２９倍、１．２０倍と比べると上昇率が大きいことが判る。これは、Ｘｅ濃度が１５％と増加したためである。
【００４２】
４）Ｘｅの量が２５％の場合（表４）の結果
Ｘｅの量が２５％で、第１の隔壁の高さが１１０μｍで、第２の隔壁が無い場合、発光輝度は約４３７ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．６１倍になっておりＸｅ５％の時より向上している。
【００４３】
また更に第２の隔壁を高くすると徐々にパネル輝度比は低下し、９０μｍでは、０．９５となり、第二隔壁の効果はなくなることが判る。しかし、Ｘｅ５％の時と比べて第２の隔壁の高さが６０μｍ、と７０μｍの時のパネルの輝度比はそれぞれ１．５２倍、１．４３倍であり、Ｘｅ５％の同じ隔壁高さの時の１．２９倍、１．２０倍と比べると上昇率が大きいことが判る。これは、Ｘｅ濃度が２５％と増加したためである。
【００４４】
５）Ｘｅの量が５０％の場合（表５）の結果
Ｘｅの量が５０％で、第１の隔壁の高さが１１０μｍで、第２の隔壁が無い場合、発光輝度は約４５７ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約６０μｍでパネル輝度比が最大で１．６倍になっており、Ｘｅ５％の時よりパネル輝度が最大となる第２の隔壁の高さが高い側にシフトしている。
【００４５】
また、更に第２の隔壁を高くすると徐々にパネル輝度比は低下するが、第２の隔壁の高さが８０μｍでも、１．０３倍の値を保っており、第２の隔壁の効果は存在している。また、Ｘｅ５％の時と比べて第２の隔壁の高さが７０μｍ、８０μｍの時でもパネルの輝度比は、それぞれ１．４２倍、１．０３倍であり、Ｘｅ５％の同じ隔壁高さの時の１．２倍、１．０と比べると上昇率が大きいことが判る。これは、Ｘｅ濃度が５０％と増加したためである。
【００４６】
６）Ｘｅの量が９９％の場合（表６）の結果
Ｘｅの量が９９％で、第１の隔壁の高さが１１０μｍで、第２の隔壁が無い場合、発光輝度は約４７８ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約６０μｍでパネル輝度比が最大で１．６倍になっており、Ｘｅ５％の時よりパネル輝度が最大となる第２の隔壁の高さが高い側にシフトしている。
【００４７】
また、更に第２の隔壁を高くすると徐々にパネル輝度比は低下するが、８０μｍでも、１．０５の値を保っており、第２の隔壁の効果は存在している。また、Ｘｅ５％の時と比べて第２の隔壁の高さが７０μｍ、８０μｍの時でもパネルの輝度比は、それぞれ１．５倍、１．０５倍であり、Ｘｅ５％の同じ隔壁高さの時の１．２倍、１．０倍と比べると上昇率が大きいことが判る。これは、Ｘｅ濃度が９９％と増加したためである。
【００４８】
従って、この上記表１〜表６の実験結果により、Ｘｅ濃度が５％〜１０％までは、第２の隔壁の高さを第１の隔壁の高さの２７％〜６４％までにすると効果がある。
【００４９】
Ｘｅ濃度が１０％〜２５％までは、第２の隔壁の高さが第１の隔壁の高さの２７％〜７３％までは効果があるが、より好ましくは、第２の隔壁の高さを第１の隔壁の高さの２７〜６４％程度に設定することである。
【００５０】
Ｘｅ濃度が２５％〜９９％までは、第２の隔壁の高さが第１の隔壁の高さの２７％〜７３％までは効果があるが、より好ましくは、第２の隔壁の高さを第１の隔壁の高さの３０〜６４％程度に設定することである。
【００５１】
また、表１〜表６のように、Ｘｅの量を従来の５％以上、特に、Ｘｅの量を１０％〜９９％に増加すると絶対輝度がさらに高くなり、パネル輝度比が最大になる第２の隔壁の高さが高い方にシフトする理由は、Ｘｅ濃度が増加するに従い、Ｘｅから発せられる紫外線量が増加するのに加え、紫外線の種類が自己吸収のある共鳴線から自己吸収のない分子線に移行するためと、分子線により放電が凝縮しやすくなるため（放電領域が小さくなるため）と考えられる。従って、表示電極対に平行で蛍光体が塗布された第２の隔壁が、表示電極の下方に存在していることと、Ｘｅ濃度が１０％以上と多いパネル構成によりフルスペックのハイビジョンのような高精細パネルでも輝度と効率の高いパネルの作成が可能となる。
【産業上の利用可能性】
【００５２】
本発明によりＰＤＰの発光輝度、発光効率の向上が可能になり、放電容積に対する発光効率を高めることができるため、その産業上の効果は大である。
【図面の簡単な説明】
【００５３】
【図１】本発明の実施の形態１におけるＰＤＰ背面パネルの斜視図
【図２】本発明における維持放電時の放電領域と蛍光体膜との位置関係を示す断面図
【図３】従来例における維持放電時の放電領域と蛍光体膜との位置関係を示す断面図
【図４】従来の３電極面放電型プラズマディスプレイパネル（ＰＤＰ）の斜視図
【図５】特許文献１および２におけるＰＤＰ背面パネルの斜視図
【符号の説明】
【００５４】
１    第１の隔壁
２    第２の隔壁
１０    前面パネル
１１    ガラス基板
１２    表示電極
１５    誘電体層
１６    保護膜
１７    放電セル
２０    背面パネル
２１    ガラス基板
２２    データ電極
２３    隔壁
２４    蛍光体層
【図１】
2007012494.tif 000009
【図２】
2007012494.tif 000010
【図３】
2007012494.tif 000011
【図４】
2007012494.tif 000012
【図５】
2007012494.tif 000013